【手続補正書】
【提出日】平成17年11月30日(2005.11.30)
【手続補正１】
【補正対象書類名】明細書
【補正対象項目名】発明の名称
【補正方法】変更
【補正の内容】
【発明の名称】画像処理装置、印刷制御装置、画像データ処理方法、記憶媒体、プログラム
【手続補正２】
【補正対象書類名】明細書
【補正対象項目名】特許請求の範囲
【補正方法】変更
【補正の内容】
【特許請求の範囲】
【請求項１】  複数の濃度成分からなる多値画像データに誤差拡散処理を施して前記誤差拡散処理の結果を出力する画像処理装置であって、
前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理手段と、
前記誤差拡散処理に用いる量子化閾値と量子化拡散係数とを固定値で誤差拡散処理を施す第２の処理手段と、
前記複数の濃度成分のうち、少なくとも１色は前記第１の処理手段を用い、残りの濃度成分は前記第２の処理手段を用いて誤差拡散を施す処理選択手段と、
を有することを特徴とする画像処理装置。
【請求項２】  前記処理選択手段は、前記複数の濃度成分のうちの同系色の濃度成分に対しては、相対的に表現可能な最高濃度が低い量子化成分に対して前記第１の処理手段を用い、相対的に表現可能な最高濃度が高い量子化成分に対しては前記第２の処理手段を用いるように選択することを特徴とする請求項１記載の画像処理装置。
【請求項３】  前記第１の処理手段は、前記複数の濃度成分のうち、他の濃度成分の情報に基づいて量子化を行う量子化手法であることを特徴とする請求項１記載の画像処理装置。
【請求項４】  複数の濃度成分からなる多値画像データに誤差拡散処理を施して前記誤差拡散処理の結果を出力する印刷制御装置であって、
前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理手段と、
前記誤差拡散処理に用いる量子化閾値と量子化拡散係数とを固定値で誤差拡散処理を施す第２の処理手段と、
前記複数の濃度成分のうち、少なくとも１色は前記第１の処理手段を用い、残りの濃度成分は前記第２の処理手段を用いて誤差拡散を施す処理選択手段と、
を有することを特徴とする印刷制御装置。
【請求項５】  前記処理選択手段は、前記複数の濃度成分のうちの同系色の濃度成分に対しては、相対的に表現可能な最高濃度が低い量子化成分に対して前記第１の処理手段を用い、相対的に表現可能な最高濃度が高い量子化成分に対しては前記第２の処理手段を用いるように選択することを特徴とする請求項４記載の印刷制御装置。
【請求項６】  前記第１の処理手段は、前記複数の濃度成分のうち、他の濃度成分の情報に基づいて量子化を行う量子化手法であることを特徴とする請求項４記載の印刷制御装置。
【請求項７】  複数の濃度成分からなる多値画像データに誤差拡散処理を施して前記誤差拡散処理の結果を出力する画像処理装置における画像データ処理方法であって、
前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理ステップと、
前記誤差拡散処理に用いる量子化閾値と量子化拡散係数とを固定値で誤差拡散処理を施す第２の処理ステップと、
前記複数の濃度成分のうち、少なくとも１色は前記第１の処理ステップを用い、残りの濃度成分は前記第２の処理ステップを用いて誤差拡散を施す処理選択ステップとを有することを特徴とする画像データ処理方法。
【請求項８】  前記処理選択ステップは、前記複数の濃度成分のうちの同系色の濃度成分に対しては、相対的に表現可能な最高濃度が低い量子化成分に対して前記第１の処理ステップを用い、相対的に表現可能な最高濃度が高い量子化成分に対しては前記第２の処理ステップを用いるように選択することを特徴とする請求項７記載の画像データ処理方法。
【請求項９】  前記第１の処理ステップは、前記複数の濃度成分のうち、他の濃度成分の情報に基づいて量子化を行う量子化手法であることを特徴とする請求項７記載の画像データ処理方法。
【請求項１０】  複数の濃度成分からなる多値画像データに誤差拡散処理を施して前記誤差拡散処理の結果を出力する印刷制御装置における画像データ処理方法であって、
前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理ステップと、
前記誤差拡散処理に用いる量子化閾値と量子化拡散係数とを固定値で誤差拡散処理を施す第２の処理ステップと、
前記複数の濃度成分のうち、少なくとも１色は前記第１の処理ステップを用い、残りの濃度成分は前記第２の処理ステップを用いて誤差拡散を施す処理選択ステップとを有することを特徴とする画像データ処理方法。
【請求項１１】  前記処理選択ステップは、前記複数の濃度成分のうちの同系色の濃度成分に対しては、相対的に表現可能な最高濃度が低い量子化成分に対して前記第１の処理ステップを用い、相対的に表現可能な最高濃度が高い量子化成分に対しては前記第２の処理ステップを用いるように選択することを特徴とする請求項１０記載の画像データ処理方法。
【請求項１２】  前記第１の処理ステップは、前記複数の濃度成分のうち、他の濃度成分の情報に基づいて量子化を行う量子化手法であることを特徴とする請求項１０記載の画像データ処理方法。
【請求項１３】  請求項７〜１２のいずれかに記載の画像データ処理方法を実現するプログラムを記憶したことを特徴とするコンピュータが読み取り可能な記憶媒体。
【請求項１４】  請求項７〜１２のいずれかに記載の画像データ処理方法を実現することを特徴とするプログラム。
【手続補正３】
【補正対象書類名】明細書
【補正対象項目名】０００１
【補正方法】変更
【補正の内容】
【０００１】
【発明の属する技術分野】
本発明は、複数の濃度成分からなる多値画像データに誤差拡散処理を施して前記誤差拡散処理の結果を出力する画像処理装置あるいは印刷制御装置のデータ処理に関するものである。
【手続補正４】
【補正対象書類名】明細書
【補正対象項目名】００２８
【補正方法】変更
【補正の内容】
【００２８】
本発明は、上記の問題点を解決するためになされたもので、本発明の目的は、画像データの処理能力が制限されるような画像処理装置であっても、入力される多値画像データに対して画像データ処理負担を強いることなく、最適な誤差拡散処理を施して、高画質の画像データを生成させることができる仕組みを提供することである。
【手続補正５】
【補正対象書類名】明細書
【補正対象項目名】００３０
【補正方法】変更
【補正の内容】
【００３０】
本発明に係る画像処理装置は、以下の特徴的構成を備える。
複数の濃度成分からなる多値画像データに誤差拡散処理を施して前記誤差拡散処理の結果を出力する画像処理装置であって、前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理手段と、前記誤差拡散処理に用いる量子化閾値と量子化拡散係数とを固定値で誤差拡散処理を施す第２の処理手段と、前記複数の濃度成分のうち、少なくとも１色は前記第１の処理手段を用い、残りの濃度成分は前記第２の処理手段を用いて誤差拡散を施す処理選択手段とを有することを特徴とする。
本発明に係る印刷制御装置は、以下の特徴的構成を備える。
複数の濃度成分からなる多値画像データに誤差拡散処理を施して前記誤差拡散処理の結果を出力する印刷制御装置であって、前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理手段と、前記誤差拡散処理に用いる量子化閾値と量子化拡散係数とを固定値で誤差拡散処理を施す第２の処理手段と、前記複数の濃度成分のうち、少なくとも１色は前記第１の処理手段を用い、残りの濃度成分は前記第２の処理手段を用いて誤差拡散を施す処理選択手段とを有することを特徴とする。
本発明に係る画像データ処理方法は、以下の特徴的構成を備える。
複数の濃度成分からなる多値画像データに誤差拡散処理を施して前記誤差拡散処理の結果を出力する画像処理装置における画像データ処理方法であって、前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理ステップと、前記誤差拡散処理に用いる量子化閾値と量子化拡散係数とを固定値で誤差拡散処理を施す第２の処理ステップと、前記複数の濃度成分のうち、少なくとも１色は前記第１の処理ステップを用い、残りの濃度成分は前記第２の処理ステップを用いて誤差拡散を施す処理選択ステップとを有することを特徴とする。
また、複数の濃度成分からなる多値画像データに誤差拡散処理を施して前記誤差拡散処理の結果を出力する印刷制御装置における画像データ処理方法であって、前記誤差拡散処理に用いる量子化閾値と量子化拡散係数との少なくとも一方の値を、濃度成分の多値画像データ値もしくは多値画像データ値より算出された値に基づいて変化させて誤差拡散処理を施す第１の処理ステップと、前記誤差拡散処理に用いる量子化閾値と量子化拡散係数とを固定値で誤差拡散処理を施す第２の処理ステップと、前記複数の濃度成分のうち、少なくとも１色は前記第１の処理ステップを用い、残りの濃度成分は前記第２の処理ステップを用いて誤差拡散を施す処理選択ステップとを有することを特徴とする。